(57)【要約】【課題】限定受信機能を持つ複合デジタルマルチメディア放送受信機でデジタルマルチメディアサービスを提供する。【解決手段】複合デジタル放送受信装置は、放送受信モジュールとデコーダモジュールを含む。放送受信モジュールは、圧縮符号化され暗号化された複数の番組が多重化されたデジタル放送データストリームを受信し復調する受信部と、復調されたストリームを逆多重化し、使用者により選択された番組に該当するデジタル放送データを抽出する第１逆多重化器と、限定受信情報を検索し、該情報を利用して前記選択されたデジタル放送データを暗号解読する限定受信部とを含む。デコーダモジュールは、圧縮符号化されたデジタルマルチメディアデータが多重化されたデータストリームを逆多重化する第２逆多重化器と、放送受信モジュールからのデジタル放送データと第２逆多重化器からのデジタルマルチメディアデータを復号する復号部とを含む。【選択図】図２
2005073235.tif 000002
【特許請求の範囲】
【請求項１】
デジタルマルチメディアデータ再生可能な複合デジタル放送受信装置において、
前記受信装置は、放送受信モジュールとデコーダモジュールとを含めて構成され、
前記放送受信モジュールは、圧縮符号化されて暗号化された複数の番組が多重化されて送られてくるデジタル放送データストリームを受信して復調する受信部と、
前記復調されたデジタル放送データストリームを逆多重化し、使用者により選択された番組に該当するデジタル放送データを抽出する第１逆多重化器と、
限定受信情報を検索し、前記限定受信情報を利用して前記選択されたデジタル放送データを暗号解読する限定受信部と、を含めて構成され、
前記デコーダモジュールは、圧縮符号化されたデジタルマルチメディアデータが多重化されたデジタルマルチメディアデータストリームを逆多重化する第２逆多重化器と、
前記放送受信モジュールから出力されるデジタル放送データと前記第２逆多重化器から出力されるデジタルマルチメディアデータを復号する復号部と、を含めて構成されたことを特徴とする装置。
【請求項２】
前記受信装置は、前記限定受信情報が入力され、スクランブリングキーを生成するスマートカードをさらに含めて構成されることを特徴とする請求項１に記載の装置。
【請求項３】
前記限定受信情報は、番組管理情報と加入者管理情報とを含むことを特徴とする請求項２に記載の装置。
【請求項４】
前記限定受信部は、前記スマートカードから前記スクランブリングキーが提供され、前記デジタル放送データを暗号解読することを特徴とする請求項３に記載の装置。
【請求項５】
前記受信装置は、前記デジタルマルチメディアデータストリームを前記第２逆多重化器に提供するマルチメディアモジュールをさらに含めて構成されることを特徴とする請求項１に記載の装置。
【請求項６】
前記デジタルマルチメディアデータは、オーディオデータとビデオデータとから構成されることを特徴とする請求項５に記載の装置。
【請求項７】
前記第２逆多重化器は、前記デジタルマルチメディアデータストリームから前記オーディオデータとビデオデータを分離することを特徴とする請求項６に記載の装置。
【請求項８】
前記放送受信モジュールとデコーダモジュールはそれぞれ、単一の集積回路で構成されることを特徴とする請求項１に記載の装置。
【請求項９】
デジタルマルチメディアデータ再生可能な複合デジタル放送受信装置において、
複数の番組のデジタル放送データパケットと限定受信情報パケットが多重化されて転送されるデジタル放送データストリームを受信する受信部と、
前記受信されたデジタル放送データストリームから前記限定受信情報パケットと使用者により選択された番組のデジタル放送データパケットを分離する逆多重化器と、
前記限定受信情報パケットから限定受信情報を検索し、前記限定受信情報を利用して前記分離されたデジタル放送データパケットに対して暗号解読を行う限定受信部と、
圧縮符号化されたオーディオパケットとビデオパケットが多重化されたデジタルマルチメディアデータストリームを受信し、前記デジタルマルチメディアデータストリームから前記オーディオパケットとビデオパケットを分離する第２逆多重化器と、
前記放送受信モジュールから出力されるデジタル放送データパケットと前記第２逆多重化器から出力されるオーディオパケットとビデオパケットを復号する復号部と、を含めて構成され、
前記受信部と第１逆多重化器と限定受信部は第１集積回路チップで構成され、前記第２逆多重化器と復号部は第２集積回路チップで構成されることを特徴とする装置。
【請求項１０】
前記受信装置は、前記限定受信情報を受信し、スクランブリングキーを生成するスマートカードをさらに含めて構成されることを特徴とする請求項９に記載の装置。
【請求項１１】
前記限定受信情報は番組管理情報と加入者管理情報とを含むことを特徴とする請求項１０に記載の装置。
【請求項１２】
前記限定受信部は、前記スマートカードから前記スクランブリングキーを受信し、前記デジタル放送データを暗号解読することを特徴とする請求項１１に記載の装置。
【請求項１３】
前記受信装置は、前記デジタルマルチメディアデータストリームを前記第２逆多重化器に提供するマルチメディアモジュールをさらに含めて構成されることを特徴とする請求項９に記載の装置。
【請求項１４】
デジタル放送データ処理装置において、
前記装置は、複数の番組のデジタル放送データパケットと限定受信情報パケットが多重化されて転送されるデジタル放送データストリームを受信し復調する受信部と、
前記復調されたデジタル放送データストリームの誤りを訂正する誤り訂正部と、
前記復調されたデジタル放送データストリームから前記限定受信情報パケットと使用者により選択された番組のデジタル放送データパケットを分離する逆多重化器と、
前記限定受信情報パケットから限定受信情報を検索し、前記限定受信情報を利用して前記分離されたデジタル放送データパケットを暗号解読する限定受信部と、を含めて構成され、
前記装置は、単一の集積回路チップで構成されることを特徴とする装置。
【請求項１５】
前記限定受信情報は、番組管理情報と加入者管理情報とを含むことを特徴とする請求項１４に記載の装置。
【請求項１６】
前記装置は、前記限定受信情報をスマートカードに出力し、スマートカードから生成されたスクランブリングキーを受信するためのスマートカードインターフェースをさらに含めて構成されることを特徴とする請求項１４に記載の装置。
【請求項１７】
前記限定受信部は、前記スマートカードから前記スクランブリングキーを受信し、前記デジタル放送データを暗号解読することを特徴とする請求項１６に記載の装置。
【請求項１８】
前記装置は、前記暗号解読されたデジタル放送データをデコーダモジュールに提供するためのデコーダモジュールインターフェースをさらに含めて構成されることを特徴とする請求項１４に記載の装置。
【請求項１９】
デジタル放送データを処理するための放送受信モジュールと、圧縮符号化されたデジタルデータを処理するためのデコーダモジュールとを備える複合デジタル放送受信装置においてデジタルマルチメディアサービスを提供する方法において、
暗号化された複数の番組と限定受信情報が多重化されて転送されるデジタル放送データストリームを前記放送受信モジュールで受信する過程と、
前記放送受信モジュールで受信されたデジタル放送データストリームから前記限定受信情報と使用者により選択された番組のデジタル放送データを分離し、前記限定受信情報を利用して分離されたデジタル放送データの暗号を解読する過程と、
前記デコーダモジュールで前記放送受信モジュールから入力される前記デジタル放送データを復号する過程と、
圧縮符号化されたオーディオデータとビデオデータの多重化されたデジタルマルチメディアデータストリームを前記デコーダモジュールで受信する過程と、
前記デコーダモジュールで前記デジタルマルチメディアデータストリームを逆多重化して前記オーディオデータとビデオデータを分離し、前記分離されたオーディオデータとビデオデータを復号する過程と、からなることを特徴とする方法。
【請求項２０】
前記受信装置が、使用者からデジタル放送受信が要求されるか否か検査する過程と、
デジタル放送受信が要求される場合前記放送受信モジュールが駆動され、前記デジタル放送データストリームを受信する過程と、をさらに含むことを特徴とする請求項１９に記載の方法。
【請求項２１】
前記限定受信情報は、番組管理情報と加入者管理情報とを含むことを特徴とする請求項１９に記載の方法。
【請求項２２】
前記限定受信情報が前記放送受信モジュールからスマートカードに提供される過程と、
前記スマートカードで前記限定受信情報を利用してスクランブリングキーを生成する過程と、
前記放送受信モジュールが前記スクランブリングキーを前記スマートカードから受信し、前記分離されたデジタル放送データを暗号解読する過程と、をさらに含むことを特徴とする請求項２０に記載の方法。
【発明の詳細な説明】
【技術分野】
【０００１】
本発明は、デジタル放送受信装置及びデジタル放送受信方法に関し、特に、限定受信機能を持つ複合デジタルマルチメディア放送受信機においてデジタルマルチメディアサービスを提供するための装置及び方法に関する。
【背景技術】
【０００２】
デジタルマルチメディア放送(Digital Multimedia Broadcasting：ＤＭＢ)とは、ＭＰＥＧ(Moving Picture Expert Group)などの高効率の圧縮アルゴリズムを用いて圧縮された複数の番組のデジタル放送データが多重化され、デジタル放送波として衛星または地上中継器を介して放送されることをいう。すなわち、デジタル放送データは、ビデオとオーディオなどのデータに分離されて圧縮され、所定単位の転送パケット(Transport Packet：ＴＰ)に分割された後、転送ストリーム(Transport Stream：ＴＳ)に多重化されて送られる。各転送ストリームには、複数の番組に対するデジタル放送データが多重化され、使用者はその中から任意の番組を選択して視聴するようになる。
【０００３】
図１は、従来のデジタルマルチメディア放送受信機の構成を示す図である。従来のデジタルマルチメディア放送受信機は、アンテナ１０、ＤＭＢ受信モジュール２０、デコーダモジュール３０、表示部５０、及びスピーカー６０から構成される。また、デジタルマルチメディア放送は基本的に有料放送であるゆえに、放送受信を制限する限定受信システム(Conditional Access System：ＣＡＳ)が採用される。前記ＤＭＢ受信モジュール２０とデコーダモジュール３０はそれぞれ単一のチップで構成され、限定受信機能を行うための限定受信部３３はデコーダモジュール３０に含まれる。
【０００４】
従来の受信機においてアンテナ１０を介して受信されたデジタル放送データは、ＤＭＢ受信モジュール２０の復調部２１から本来の転送ストリームに再生され、再生された転送ストリームは誤り訂正部２３で誤り訂正された後デコーダモジュール３０に入力される。デコーダモジュール３０は、ＴＳ逆多重化器３１において複数の番組のデジタル放送データが多重化された転送ストリームを逆多重化し、使用者により選択された番組のデジタル放送データを含む転送パケットを抽出する。このとき、限定受信のために前記デジタル放送データは暗号化(Scramble)されて送られる。デコーダモジュール３０の限定受信部３３は、スマートカード４０で生成されたスクランブリングキーを利用して暗号化されたデジタル放送データをデスクランブリング、すなわち暗号解読する。暗号解読されたデジタル放送データは、デコーダモジュール３０のＭＰＥＧビデオデコーダ３５とＭＰＥＧオーディオデコーダ３７で復号され、表示部５０とスピーカー６０を介して使用者にそれぞれ提供される。
【０００５】
上述したように、デジタルマルチメディア放送では複数の番組が一本の転送ストリームに多重化されて送られる。従来のデジタルマルチメディア放送受信機では、ＤＭＢ受信モジュール２０により受信された転送ストリームに含まれたあらゆる番組がデコーダモジュール３０に送られる。一般に、チップとチップとの間のデータ送受信はパッド(ＰＡＤ)を通じてなされるが、該ＰＡＤを駆動するためには多くの電力が消耗される。ＤＭＢ受信モジュール２０により受信された全ての転送ストリームをデコーダモジュール３０に転送する従来の受信機の構造は、限定された資源を持つ移動端末にそのまま適用し難いという不具合があった。したがって、デジタルマルチメディア放送受信機の各モジュール間に転送されるデータ量を最小化して電力消耗を減らす技術が望まれる。
【０００６】
また、デジタルデータの圧縮技術は極めて急速に発展しつつある分野である。ところが、従来のデジタルマルチメディア放送受信機のデコーダチップ３０は、圧縮解除のためのデコーダ部だけでなく限定受信部３３も含めており、デコーダ部を変更するためには限定受信部３３を含むデコーダチップ全体を入れ替えなければならないという問題点がある。そこで、限定受信部３３にかかわらずデコーダ部のみを独立して変更できる技術が望まれてきている。
【０００７】
一方、近来は、デジタル技術の発達に伴って単一製品中心の製品境界が消えてゆくデジタル複合化現象が現れている。このような傾向に対応して携帯電話やＰＤＡ(Personal Data Assistance)のような移動端末においてもデジタルマルチメディア放送受信機能を搭載する技術が検討されている。ところが、前述した如く従来のデジタルマルチメディア放送受信機は、逆多重化されたデジタル放送データが必ず限定受信部で暗号解読過程を経てデコーダ部で復号されるデジタル放送専用の受信機構造を持っており、このような従来の受信機のデコーダモジュールではデジタル放送データ以外のほかのデジタルマルチメディアデータの再生が困難な問題点がある。したがって、従来の受信機構造を移動端末に搭載する場合、暗号化されなかったマルチメディアデータを再生するための別個のデコーダ部をさらに備える必要があった。しかし、限定された資源を持つ移動端末に複数のデコーダ部を搭載すると、電力問題を招くほか、移動端末の小型化を妨げることにつながる問題点があった。
【発明の開示】
【発明が解決しようとする課題】
【０００８】
したがって、本発明の目的は、デジタルマルチメディア放送受信機の各構成モジュール同士間のデータ転送量を減らし得る装置及び方法を提供することにある。
【０００９】
本発明の他の目的は、デジタルマルチメディア放送視聴と他のマルチメディアの再生が可能な複合移動端末を提供することにある。
【００１０】
本発明のさらに他の目的は、多様なマルチメディア機能が容易に追加されることのできる複合デジタルマルチメディア放送受信機を提供することにある。
【課題を解決するための手段】
【００１１】
上記の目的を達成するべく、本発明は、放送受信モジュールとデコーダモジュールとを含めて構成され、前記放送受信モジュールは、圧縮符号化され暗号化された複数の番組が多重化されて転送されるデジタル放送データストリームを受信し復調する受信部と、前記復調されたデジタル放送データストリームを逆多重化し、使用者により選択された番組に該当するデジタル放送データを抽出する第１逆多重化器と、限定受信情報を検索し、前記限定受信情報を利用して前記選択されたデジタル放送データを暗号解読する限定受信部と、を含めて構成され、前記デコーダモジュールは、圧縮符号化されたデジタルマルチメディアデータが多重化されたデジタルマルチメディアデータストリームを逆多重化する第２逆多重化器と、前記放送受信モジュールから出力されるデジタル放送データと前記第２逆多重化器から出力されるデジタルマルチメディアデータを復号する復号部と、を含めて構成されることを特徴とするデジタルマルチメディアデータ再生可能な複合デジタル放送受信装置を提供する。
【００１２】
また、上記の目的を達成するべく、本発明は、複数の番組のデジタル放送データパケットと限定受信情報パケットが多重化されて転送されるデジタル放送データストリームを受信する受信部と、前記受信されたデジタル放送データストリームから前記限定受信情報パケットと使用者により選択された番組のデジタル放送データパケットを分離する逆多重化器と、前記限定受信情報パケットから限定受信情報を検索し、前記限定受信情報を利用して前記分離されたデジタル放送データパケットを暗号解読する限定受信部と、圧縮符号化されたオーディオパケットとビデオパケットが多重化されたデジタルマルチメディアデータストリームを受信し、前記デジタルマルチメディアデータストリームから前記オーディオパケットとビデオパケットを分離する第２逆多重化器と、前記放送受信モジュールから出力されるデジタル放送データパケットと前記第２逆多重化器から出力されるオーディオパケットとビデオパケットを復号する復号部と、を含めて構成され、前記受信部と第１逆多重化器と限定受信部は、第１集積回路チップで構成され、前記第２逆多重化器と復号部は、第２集積回路チップで構成されることを特徴とする複合マルチメディア放送受信装置を提供する。
【００１３】
また、上記の目的を達成するべく、本発明は、複数の番組のデジタル放送データパケットと限定受信情報パケットが多重化されて転送されるデジタル放送データストリームを受信し復調する受信部と、前記復調されたデジタル放送データストリームの誤りを訂正する誤り訂正部と、前記復調されたデジタル放送データストリームから前記限定受信情報パケットと使用者により選択された番組のデジタル放送データパケットを分離する逆多重化器と、前記限定受信情報パケットから限定受信情報を検索し、前記限定受信情報を利用して前記分離されたデジタル放送データパケットを暗号解読する限定受信部と、を含めて構成され、前記装置は、単一の集積回路チップで構成されることを特徴とするデジタル放送データ処理装置を提供する。
【００１４】
また、上記の目的を達成するべく、本発明は、暗号化された複数の番組と限定受信情報が多重化されて転送されるデジタル放送データストリームを前記放送受信モジュールで受信する過程と、前記放送受信モジュールで受信されたデジタル放送データストリームから前記限定受信情報と使用者により選択された番組のデジタル放送データを分離し、前記限定受信情報を利用して分離されたデジタル放送データの暗号を解読する過程と、前記デコーダモジュールにおいて前記放送受信モジュールから入力される前記デジタル放送データを復号する過程と、圧縮符号化されたオーディオデータとビデオデータが多重化されたデジタルマルチメディアデータストリームを、前記デコーダモジュールで受信する過程と、前記デコーダモジュールで前記デジタルマルチメディアデータストリームを逆多重化して前記オーディオデータとビデオデータを分離し、前記分離されたオーディオデータとビデオデータを復号する過程と、からなることを特徴とする複合デジタル放送受信装置のデジタルマルチメディアサービス方法を提供する。
【発明を実施するための最良の形態】
【００１５】
以下、本発明の好ましい実施例を添付図面を参照しつつ詳細に説明する。図面中、同一の構成要素には可能な限り同一の参照符号及び番号を付けることとし、下記に本発明を説明するにあたり、関連する公知機能または構成に対する具体的な説明が本発明の要旨を曖昧にするとされる場合にはその詳細な説明を省略するものとする。
【００１６】
図２は、本発明の好ましい実施例による複合デジタルマルチメディア放送受信機の構成を示すブロック図である。以下、図２に基づいて本発明に係る複合デジタルマルチメディア放送受信機の構成及び動作を詳細に説明する。
【００１７】
複合デジタルマルチメディア放送受信機は、アンテナ２１０、放送受信モジュール２２０、デコーダモジュール２３０、マルチメディアモジュール２６０、表示部２４１及びスピーカー２４３を含めて構成される。
【００１８】
アンテナ２１０は、複数の番組のデジタル放送データが多重化されて転送されるデジタル放送波を受信する。デジタル放送データは、圧縮符号化され所定単位の転送パケットに分割されたビデオデータとオーディオデータ及び付加データのうち少なくとも一つを含む。ここで、ビデオデータとオーディオデータは、Ｈ．２６４(ＭＰＥＧ４ ｐ.１０)やＭＰＥＧ４ ＡＡＣのような通常の圧縮方式を利用して圧縮符号化される。一方、前記付加データは、映像データ、音声データなどと関連する字幕データなどの文字データなどを含めて構成される。分割された転送パケットデータは、限定受信のためにスクランブリングキーを用いて暗号化された後、１本のデジタル放送データストリーム、すなわち、転送ストリームに多重化される。
【００１９】
放送受信モジュール２２０は、復調部２２１、誤り訂正部２２３、ＴＳ逆多重化器２２５及び限定受信部２２７を含めて構成される。前記放送受信モジュール２２０は、アンテナ２１０を介して受信された前記デジタル放送データのうち使用者により選択された番組に該当するデジタル放送データの転送ストリームを分離し、暗号を解読して図示せぬインターフェースを介してデコーダモジュール２３０に出力する。
【００２０】
復調部２２１は、アンテナ２１０を介して受信されたデジタル放送波を増幅し、周波数変換した後信号波形を整形し復調して本来の転送ストリームに再生する。また、復調部２２１は、前記復調された転送ストリームのうち使用者により選択された番組が転送される特定チャンネルの転送ストリームを抽出して誤り訂正部２２３に出力する。誤り訂正部２２３は、再生された転送ストリームの信号誤りを訂正する。
【００２１】
ＴＳ逆多重化器２２５は、セクションフィルター(Section Filter)を含めて構成される。前記ＴＳ逆多重化器２２５は転送ストリームを逆多重化し、使用者により選択された番組に該当するデジタル放送データの転送パケットを分離する。前記分離された転送パケットは、選択された番組の種類によってオーディオデータ、ビデオデータ及び付加データのうち少なくともいずれか一種を含む。限定受信部２２７は、デスクランブラー２２８とパケットフィルター２２９とを含めて構成され、スマートカード２５０から生成されるスクランブリングキーを利用して前記デジタル放送データに対して暗号解読、すなわち、デスクランブリングを行う。このように構成される放送受信モジュール２２０で行われる動作は図３を参照して詳細に後述する。
【００２２】
デコーダモジュール２３０は、ＴＳ逆多重化器２３１、ビデオデコーダ２３３、及びオーディオデコーダ２３５を含めて構成される。また、図示せぬが、付加データデコーダが前記デコーダモジュール２３０に含まれても良い。ＴＳ逆多重化器２３１は、前記放送受信モジュール２２０のＴＳ逆多重化器２２５と同様に圧縮符号化されたビデオ、オーディオデータなどが多重化されたデジタルマルチメディアデータストリームを逆多重化する。しかし、前記デコーダモジュール２３０のＴＳ逆多重化器２３１は、デジタル放送データ以外のほかの多様なデジタルマルチメディアデータの再生を支援する点で前記放送受信モジュール２２０のＴＳ逆多重化器２２５と区別される。
【００２３】
前記デジタルマルチメディアデータストリームはマルチメディアモジュール２６０から提供される。本明細書においてマルチメディアモジュール２６０は、ＣＤＭＡ受信モジュール２６１、マルチメディアゲームモジュール２６３、及びデジタルミュージックモジュール２６５を含めて構成されると仮定する。しかし、これらの中であるモジュールを排除したりそれ以外のデジタルマルチメディアサービスを提供する他のモジュールが追加されるように変形しても良いことに留意されたい。ＣＤＭＡ受信モジュール２６１は、移動通信網を通じて受信された注文型音楽(Music On Demand：ＭＯＤ)または注文型ビデオ(Video On Demand：ＶＯＤ)などのデータを提供するモジュールである。マルチメディアゲームモジュール２６３は、マルチメディアゲームデータを提供し、デジタルミュージックモジュール２６５は、カラオケ機器などにおけるデジタル音楽データを提供する。
【００２４】
ビデオデコーダ２３３とオーディオデコーダ２３５は、前記ＴＳ逆多重化器２３１から出力されるデータと放送受信モジュール２２０から出力されるデータを復号し、それぞれ表示部２４１とスピーカー２４３から出力する。スマートカード２５０は、受信制限暗号を解読するためのデータと番組を格納している。前記スマートカード２５０は図示せぬスマートカードインターフェースを介して限定受信部２２７とデータ送受信を行う。
【００２５】
図３は、本発明の好ましい実施例によって複合デジタルマルチメディア放送受信機においてデジタルマルチメディアデータを再生する方法を示すフローチャートである。次に、図２及び図３を参照して前記受信機でデジタル放送を含む多様なデジタルマルチメディアサービスを提供する方法を具体的に説明する。
【００２６】
３０１段階において、複合デジタルマルチメディア放送受信機は、使用者からデジタルマルチメディア放送の受信要求があるか検査する。使用者の放送受信要求があると３０３段階に進む。３０３段階で前記受信機は、デジタル放送データの処理のために放送受信モジュール２２０を駆動し、３０５段階に進む。
【００２７】
３０５段階において複合デジタルマルチメディア放送受信機は、アンテナ２１０からデジタル放送波を受信する。復調部２２１は前記デジタル放送波を増幅し周波数変換した後、信号波形を整形し復調して本来の転送ストリームに再生する。また、復調部２２１は前記復調された転送ストリームのうち使用者により選択された番組が転送される特定チャンネルの転送ストリームを抽出して誤り訂正部２２３に出力する。３０７段階において誤り訂正部２２３は、再生された転送ストリームの信号誤りを訂正する。
【００２８】
３０９段階において、ＴＳ逆多重化器２２５は、誤り訂正された転送ストリームから番組連合テーブル(Program Association Table：ＰＡＴ)転送パケットを分離して分析する。ＰＡＴは、番組の全体制御情報を収録したテーブルであり、パケット識別子(Packet Identification：ＰＩＤ)が“０”である転送パケットに載せて送信される。その後、３１１段階においてＴＳ逆多重化器２２５は、使用者により選択された番組に対応する番組マップテーブル(Program Map Table：ＰＭＴ)のＰＩＤをＰＡＴから検出する。３１３段階においてＴＳ逆多重化器２２５は、前記ＰＩＤを利用して前記選択番組に対応する転送パケットを転送ストリームから分離して限定受信部２２７に提供する。前記転送パケットは、選択された番組を構成するデジタル放送データで、受信制限のために暗号化されている。
【００２９】
暗号化された転送パケットを解くためのスクランブリングキー(Scrambling Key)は、番組管理情報(Entitlement Control Message：ＥＣＭ)と加入者管理情報(Entitlement Management Message：ＥＭＭ)に基づいて生成される。ＥＣＭは番組属性情報とＥＣＭ転送パケットとで構成され、ＥＭＭは各使用者の契約情報とＥＭＭ転送パケットとで構成されて、暗号化されたビデオ、オーディオの転送パケットと共に送信される。
【００３０】
一方、３１５ないし３２５段階はスクランブリングキーを生成するための過程で、次に、この過程について詳細に説明する。まず、３１５段階においてＴＳ逆多重化器２２５は、限定受信テーブル(Conditional Access Table：ＣＡＴ)転送パケットとＥＣＭ情報を収録した番組マップテーブル(Program Map Table：ＰＭＴ)転送パケットのＰＩＤを抽出する。３１７段階においてＴＳ逆多重化器２２５は、前記ＰＩＤを用いて転送ストリームからＣＡＴ転送パケットとＰＭＴ転送パケットを分離して分析する。３１９段階においてＴＳ逆多重化器２２５は、前記ＣＡＴ転送パケットとＰＭＴ転送パケットからＥＭＭ転送パケットとＥＣＭ転送パケットのＰＩＤを検出し、３２１段階に進む。３２１段階で、前記ＥＭＭ転送パケットとＥＣＭ転送パケットのＰＩＤは限定受信部２２７に送られ、パケットフィルター２２９の値と設定される。パケットフィルター２２９は、ＴＳ逆多重化器２２５から送られてきた転送パケットの中からＥＭＭ転送パケットとＥＣＭ転送パケットを検出し、ＥＭＭとＥＣＭ情報を抽出する。
【００３１】
３２３段階において、検出されたＥＭＭとＥＣＭ情報は、スマートカード２５０に送られる。３２５段階において、スマートカード２５０は前記ＥＭＭとＥＣＭ情報に基づいてスクランブリングキーを生成し、生成されたスクランブリングキーを限定受信部２２７に送る。
【００３２】
３２７段階において、限定受信部２２７のデスクランブラー２２８は、スマートカード２５０から入力されるスクランブリングキーを使って前記選択番組に対応する転送パケットの受信制限暗号を解く。暗号解読されたデジタル放送データはデコーダモジュール２３０に入力される。
【００３３】
３２９段階においてデコーダモジュール２３０のビデオデコーダ２３３とオーディオデコーダ２３５は、前記デジタル放送データを構成するビデオデータとオーディオデータをそれぞれ復号し、３３１段階で表示部２４１とスピーカー２４３を介して復号されたデータをそれぞれ出力する。デジタル放送データが字幕などの付加データを含む場合には、図示せぬ付加データデコーダで復号され、表示部２４１を介して使用者に提供される。
【００３４】
一方、前記３０１段階において、使用者のデジタルマルチメディア放送受信要求がない場合には３３３段階に進む。３３３段階において前記受信機は、デジタルマルチメディアデータの再生が要求されるか否か検査する。すなわち、デコーダモジュール２３０のＴＳ逆多重化器２３１は、マルチメディアモジュール２６０からデジタルマルチメディアデータが入力されるか検査する。本明細書では、前記受信機が、デジタルマルチメディア放送の受信が要求されるか否か確認した後、デジタルマルチメディアデータの再生が要求されるか否かを確認する場合を仮定しているが、この確認順序の変更が可能であることは、当該技術分野で通常の知識を持つ者にとっては自明であろう。また、デジタルマルチメディア放送の受信とデジタルマルチメディアデータの再生が独立的に同時に行われるように変形することも可能であることに留意されたい。
【００３５】
前記３３３段階においてデジタルマルチメディアデータの入力がない場合には３０１段階に戻って待機状態を保持し、デジタルマルチメディアデータが入力される場合には３３５段階に進み、ＴＳ逆多重化器２３１は入力されるデータを逆多重化し、多重化されたビデオ、オーディオデータを分離する。分離されたデータは、３２９段階ないし３３１段階を経て使用者に提供される。
【００３６】
以上、本発明の詳細な説明では具体的な実施例を上げて説明してきたが、本発明の範囲を外れない限度内で様々な変形が可能であることはもちろんである。したがって、本発明の範囲は、説明された実施例によって限定されるべきではなく、特許請求の範囲及びこの特許請求の範囲と均等なものによって定められるべきである。
【００３７】
上述の如く、本発明は、一つの端末機においてデジタルマルチメディア放送とともに他のデジタルマルチメディアサービスを提供できる利点がある。また、本発明は、複合マルチメディア放送受信機において様々な応用マルチメディア機能が容易に追加できる利点がある。また、本発明は、応用マルチメディアの支援のために追加される構成を最小限に抑えることによって小型の複合マルチメディア放送受信機を具現できる利点がある。また、本発明は、チップとチップ間のデータ伝達を最小化することによって電力消耗を減らすことができる利点がある。
【図面の簡単な説明】
【００３８】
【図１】従来のデジタルマルチメディア放送受信機の構成を示す図である。
【図２】本発明の好ましい実施例による複合デジタルマルチメディア放送受信機の構成を示すブロック図である。
【図３】本発明の好ましい実施例によって複合デジタルマルチメディア放送受信機においてデジタルマルチメディアデータを再生する方法を示すフローチャートである。
【符号の説明】
【００３９】
２１０      アンテナ
２２０      放送受信モジュール
２２１      復調部
２２３      誤り訂正部
２２５      ＴＳ逆多重化器
２２７      限定受信部
２２８      デスクランブラー
２２９      パケットフィルター
２３０      デコーダモジュール
２３１      ＴＳ逆多重化器
２３３      ビデオデコーダ
２３５      オーディオデコーダ
２４１      表示部
２４３      スピーカー
２５０      スマートカード
２６０      マルチメディアモジュール
２６１      ＣＤＭＡ受信モジュール
２６３      マルチメディアゲームモジュール
２６５      デジタルミュージックモジュール
【図１】
2005073235.tif 000003
【図２】
2005073235.tif 000004
【図３】
2005073235.tif 000005